(57)【特許請求の範囲】
【請求項１】
広幅の帯状シートを複数条の所要幅の帯状シートに分割する、分割位置変更可能なスリッターと、分割した帯状シートを巻取る巻芯の長手方向に平行に伸びた間隔調整台と、前記間隔調整台上に前記巻芯の長手方向に位置替え可能に装着した、前記巻芯毎に一対になる巻取アームと、先端部分を巻芯端の中空部に嵌めた状態で一対になって巻芯の両端を保持する、前記巻取アームに該巻取アームに対して巻芯の長手方向に進出後退可能に装着した巻芯チャックとを備え、前記スリッターによる帯状シートの分割位置が変更されても前記巻取アームを前記間隔調整台上の所要位置に配置して、前記分割した帯状シート幅に相当する長さの巻芯を前記巻芯チャックにより保持できるようにしたシート分割巻取装置において、前記一対になって巻芯の両端を保持する巻芯チャック間に新たな巻芯を供給するための巻芯供給装置であって、前記一対になる巻取アームの夫々に前記巻芯に平行な軸線を中心に揺動可能に別々に取付けた一対になる樋状保持腕と、前記樋状保持腕に、夫々先下がりとなる巻芯供給姿勢及び退避姿勢を選択的にとらせることができる、前記樋状保持腕毎に前記巻取アームに取付けた揺動駆動機構とを備え、前記一対になる樋状保持腕は、新たな巻芯の端面に対向する底面を有する底部の幅方向の両縁部から夫々前記巻芯の長手方向に所定高さに突出すると共に前記底部に沿って底部の長手方向に伸びた前側壁及び後側壁を夫々備え、かつ前記底面を対向させると共に該底面の相互間隔を前記巻芯の長さに相当する間隔より少し大き目にして前記巻取アームに取付けてあり、夫々前記前側壁と後側壁で前記巻芯の端部を挟んで案内することにより、複数の巻芯を当該樋状保持腕の下側先端方向に移動可能に保持することができ、更に、前記複数の巻芯のうちの最下端の巻芯が当接する、前記後側壁の下端から前側へ突出した下側壁と、前記最下端の巻芯を前側へ脱出させるための、前記前側壁の下部に設けた巻芯出口と、前記巻芯チャックの挿通用並びに脱出用の、前記底部の下部に前側から後側へ向けて設けた切欠きと、前記巻芯チャックで保持していない最下端の巻芯の巻芯出口からの脱落を、最下端の巻芯の巻芯出口への通路内に進出することにより阻止し、前記巻芯チャックで保持した最下端の巻芯の巻芯出口からの脱出を、最下端の巻芯の巻芯出口への通路から後退することにより可能にする巻芯脱落阻止体とを備えることを特徴とするシート分割巻取装置の巻芯供給装置。
【請求項２】
前記巻芯脱落阻止体を、前記最下端の巻芯の巻芯出口への通路に前記下側壁から弾力的に突出したものとした請求項１記載のシート分割巻取装置の巻芯供給装置。
【請求項３】
前記樋状保持腕が保持した最下端の巻芯の所定部分に接着を付与することができる、前記巻取アーム上に配設した接着剤付与機構を備える請求項１記載又は請求項２に記載のシート分割巻取装置の巻芯供給装置。
【発明の詳細な説明】
【０００１】
【発明の属する技術分野】
本発明は、プラスチックフィルム、紙等の広幅の帯状シートをスリッターにより複数条の所要幅に分割して巻芯のまわりに巻取るシート分割巻取装置の巻芯供給装置に関する。
【０００２】
【従来の技術】
上述のようなシート分割巻取装置には、帯状シート幅方向に平行に伸びた間隔調整台、巻芯の長手方向に位置替え可能に間隔調整台上に装着した、各巻芯毎に一対になる巻取アーム、並びに各一対の巻取アームの夫々に設けた、巻芯の両端を保持する巻芯チャックを備え、巻取アーム上の巻芯チャックにより、分割された帯状シート幅に相当する長さの巻芯を保持できるようにしたものがある。このシート分割巻取装置において複数対の巻芯チャックに夫々新しい巻芯を装着するには、新たな巻芯を各一対の巻芯チャック間に供給し、巻芯チャックが作動して巻芯が保持されるまで、その巻芯を巻芯チャックと同心に保持しておく必要があり、シート分割数に応じた数の新しい巻芯を手作業で順次巻芯チャックに装着するには手間がかかる。そのため、従来においては、各一対となる巻芯チャックの間に夫々新しい巻芯を同心に仮に保持することができる巻芯受けを備えたシート分割巻取装置が提供されている。このシート分割巻取装置では、巻芯を夫々巻芯受けに載せた後、各巻芯チャックを一斉に作動させることにより、巻芯受けで保持した複数の巻芯を一斉に巻芯チャックに装着することができる（例えば実公平５−２２５２２号公報参照）。
【０００３】
また、従来においては、一対となる巻芯チャック間に新しい巻芯を供給するために、完成した巻取ロールを巻取アームから受取って搬出するための搬送車上にレールを昇降可能に設け、このレールに、分割された帯状シートに対応する数の走行体を摺動可能に装着し、各走行体上に夫々巻芯把持装置を設け、この巻芯把持装置で新しい巻芯を把持しておき、この巻芯を、巻取ロールを搬送車上に解放した後、巻芯把持装置から各一対の巻芯チャックに夫々一斉に供給できるようにしたシート分割巻取装置の巻芯供給装置もある。
【０００４】
【発明が解決しようとする課題】
ところが、上述の巻芯受けを備えたシート分割巻取装置では、巻取ロールの取外し時に作業者が毎回新しい巻芯の準備する必要があり、また巻取ロールを巻芯チャックから取外した後に、新しい巻芯を作業者が巻芯受け上に順次供給する必要があるので、巻取ロールを取り外してから全ての巻芯を巻芯受けに供給し終わるまでに時間がかかる。
【０００５】
また、上述の搬送台車上のレールに装着した走行体に巻芯把持装置を設けたシート分割巻取装置の巻芯供給装置では、巻取ロールが完成する前に毎回作業者がシート分割巻取装置の側方にある巻芯の補給場所において各巻芯把持装置に夫々新しい巻芯を一つ宛装着する必要があるため、巻芯把持装置への新しい巻芯の装着作業に手間がかかる。またスリッターによる帯状シート分割幅の変更に伴い、その変更された帯状シートに対応する位置に巻芯把持装置を夫々移動しなければならず、その巻芯把持装置の移動作業に手間がかかり、巻芯把持装置やその昇降機構等の構造が複雑で占有空間も大きくなるという問題を生じる。
【０００６】
本発明は、上述のような問題点に鑑み、巻芯供給作業を省力化すると共に作業時間を短縮することができる、取扱いが容易で構造が簡単な、シート分割巻取装置の巻芯供給装置を提供することを目的としている。
【０００７】
【課題を解決するための手段】
上述の目的を達成するための本発明のシート分割巻取装置の巻芯供給装置は、広幅の帯状シートを複数条の所要幅の帯状シートに分割する、分割位置変更可能なスリッターと、分割した帯状シートを巻取る巻芯の長手方向に平行に伸びた間隔調整台と、前記間隔調整台上に前記巻芯の長手方向に位置替え可能に装着した、前記巻芯毎に一対になる巻取アームと、先端部分を巻芯端の中空部に嵌めた状態で一対になって巻芯の両端を保持する、前記巻取アームに該巻取アームに対して巻芯の長手方向に進出後退可能に装着した巻芯チャックとを備え、前記スリッターによる帯状シートの分割位置が変更されても前記巻取アームを前記間隔調整台上の所要位置に配置して、前記分割した帯状シート幅に相当する長さの巻芯を前記巻芯チャックにより保持できるようにしたシート分割巻取装置において、前記一対になって巻芯の両端を保持する巻芯チャック間に新たな巻芯を供給するための巻芯供給装置であって、前記一対になる巻取アームの夫々に前記巻芯に平行な軸線を中心に揺動可能に別々に取付けた一対になる樋状保持腕と、前記樋状保持腕に、夫々先下がりとなる巻芯供給姿勢及び退避姿勢を選択的にとらせることができる、前記樋状保持腕毎に前記巻取アームに取付けた揺動駆動機構とを備え、前記一対になる樋状保持腕は、新たな巻芯の端面に対向する底面を有する底部の幅方向の両縁部から夫々前記巻芯の長手方向に所定高さに突出すると共に前記底部に沿って底部の長手方向に伸びた前側壁及び後側壁を夫々備え、かつ前記底面を対向させると共に該底面の相互間隔を前記巻芯の長さに相当する間隔より少し大き目にして前記巻取アームに取付けてあり、夫々前記前側壁と後側壁で前記巻芯の端部を挟んで案内することにより、複数の巻芯を当該樋状保持腕の下側先端方向に移動可能に保持することができ、更に、前記複数の巻芯のうちの最下端の巻芯が当接する、前記後側壁の下端から前側へ突出した下側壁と、前記最下端の巻芯を前側へ脱出させるための、前記前側壁の下部に設けた巻芯出口と、前記巻芯チャックの挿通用並びに脱出用の、前記底部の下部に前側から後側へ向けて設けた切欠きと、前記巻芯チャックで保持していない最下端の巻芯の巻芯出口からの脱落を、最下端の巻芯の巻芯出口への通路内に進出することにより阻止し、前記巻芯チャックで保持した最下端の巻芯の巻芯出口からの脱出を、最下端の巻芯の巻芯出口への通路から後退することにより可能にする巻芯脱落阻止体とを備えることを特徴とする。
【０００８】
【発明の実施の形態】
図１は本発明の一実施態様に係るシート分割巻取装置の全体説明図である。シート分割巻取装置は、複数の切断刃Ｋにより広幅の帯状シートＳ０を複数条の所要幅の帯状シートＳに分割するスリッター１と、分割された帯状シートＳを巻取るための、前後（図１では左右）に並ぶ二つの巻取装置２、３とを備える。スリッター１で分割された複数条の帯状シートＳは交互に巻取装置２、３に供給され、帯状シートＳ毎の巻芯Ｃのまわりに巻取られて巻取ロールＲとなる。
【０００９】
巻取装置２、３の夫々は、帯状シート幅方向に平行に伸びた間隔調整台４と、巻芯Ｃの長手方向に位置替え可能に間隔調整台４上に装着した、各巻芯Ｃ毎に一対になる巻取アーム５、並びに各一対の巻取アーム５の夫々に設けた、巻芯Ｃの両端を保持する巻芯チャック６、及び巻取中の巻取ロールＲに接触するタッチローラ７を含んでいる。
【００１０】
各巻芯チャック６は、例えば実開昭５２−６２７８４号公報、実用新案登録第２５５４８０３号公報等に開示されるように、巻取アーム５に対して巻芯Ｃの軸線方向に進出後退可能に装着され、その先端部分を巻芯Ｃの両端の中空部に嵌めた状態で巻芯Ｃを保持することができる公知のものである。
【００１１】
巻取装置２、３は、互いに向き合うように配置されており、同様の構造で同様に作動し、シート巻取中、巻芯Ｃは巻芯チャック６を通じて矢印Ａの方向に回転駆動され、巻取ロールＲの半径増大に応じて間隔調整台４と共にレール８に案内されてタッチローラ７から後退する。巻取ロールＲが完成すると、巻取ロールＲが更に後退してタッチローラ７から離れ、その後、巻取ロールＲに繋がっている帯状シートＳがシート仮保持機構９によりタッチローラ７上に保持され、タッチローラ７の下流で切断機構１０により切断される。その後、巻取ロールＲは搬出機構１１により下から支えられた後、巻芯チャック６から解放されて機外へ搬出される。巻取ロールＲが搬出されると、新たな巻芯Ｃが一対になる巻芯チャック６間に供給され、巻芯チャック６により保持された後、間隔調整台４と共に前進して巻取開始位置につき、帯状シートを挟んでタッチローラ７に接触する。
【００１２】
このシート分割巻取装置には、巻取アーム５上の一対の巻芯チャック６に新たな巻芯Ｃを供給するための巻芯供給装置１２を、巻取アーム５の各一対毎に備えている。
【００１３】
図２は本発明の一実施態様に係る巻芯供給装置の正面図、図３は巻芯供給装置の側面図、図４は片方の樋状保持腕の側面図である。
【００１４】
巻芯供給装置１２は、帯状シートＳを巻取る巻芯Ｃの長手方向に平行に伸びた間隔調整台５沿いに位置替えできる一対の巻取アーム５上に設けた巻芯チャック６に新たな巻芯Ｃを供給するためのものであって、図２に示すように、一対になる巻取アーム５の夫々に、巻芯Ｃに平行な軸線を中心に揺動可能に別々に取付けた一対になる樋状保持腕１４と、樋状保持腕１４に、夫々先下がりとなる巻芯供給姿勢及び退避姿勢を選択的にとらせることができる、樋状保持腕毎１４に巻取アーム５に取付けた揺動駆動機構１５とを備える。図３に示す樋状保持腕１４は巻芯供給姿勢をとっており、図１示す樋状保持腕１４は退避姿勢をとっている。
【００１５】
一対になる樋状保持腕１４は、互いに勝手違いに形成されており、図４に示すように夫々新しい巻芯Ｃの端面に対向する底面を有する底部１６の幅方向の両縁部から夫々巻芯Ｃの長手方向に所定の高さに突出すると共に底部１６に沿って底部１６の長手方向に伸びた前側壁１７及び後側壁１８と、後側壁１８の下端から前側へ突出した下側壁１９と、前側壁１７の下部に設けた巻芯出口２０と、底部１６の下部に前側から後側へ向けて設けた、巻芯チャックの挿通用並びに脱出用の切欠き２１と、巻芯チャックで保持していない最下端の巻芯Ｃの巻芯出口２０からの脱落を、最下端の巻芯Ｃの巻芯出口２０への通路２２内に進出することにより阻止し、巻芯チャックで保持した最下端の巻芯Ｃの巻芯出口２０からの脱出を、最下端の巻芯Ｃの巻芯出口２０への通路２２から後退することにより可能にする巻芯脱落阻止体２３とを備える。
【００１６】
前側壁１７と後側壁１８との相互間隔を巻芯Ｃの直径より僅かに大きくし、前側壁１７と後側壁１８との間に巻芯Ｃの端部を挟んで案内できるようにしてあるので、樋状保持腕１４は複数の巻芯Ｃを、当該樋状保持腕１４の下側の先端方向に移動可能に保持することができる。
【００１７】
樋状保持腕１４を巻芯Ｃに平行な軸線を中心に揺動可能に取付けるために、巻取アーム５に支持軸２４を回転可能に装着し、この支持軸２４の一端に樋状保持腕１４の底部１６を固着している。また樋状保持腕１４が巻芯供給姿勢をとったとき最下端の巻芯Ｃが巻芯チャック６と同心に配置されるようにするために、巻芯出口２０から支持軸２４までの距離を巻取ロールＲの半径より大きくしている。そして図２に示すように一対の巻取アーム５に取付けた一対の樋状保持腕１４の底面は対向しており、この樋状保持腕１４の底面の相互間隔は、所要の巻芯Ｃの長さに相当する間隔より少し大き目にする。
【００１８】
揺動駆動機構１５は、流体圧シリンダ装置からなり、シリンダの本体１５ａの後端を巻取アーム５に固着した軸体２５に連結し、ピストンロッド１５ｂの先端部を樋状保持腕１４の底部１６に固設した連結部２６にピン２７で連結してあり、ピストンロッド１５ｂが進出限まで進出させて樋状保持腕１４を巻芯供給姿勢にし、ピストンロッド１５ｂを後退させて樋状保持腕１４を退避姿勢にすることができる。また樋状保持腕１４に保持された巻芯Ｃが重力により後戻りしないようにするために、揺動駆動機構１５は、樋状保持腕１４を先下がりの姿勢つまり先端に行くほど低くなる姿勢の範囲内で揺動駆動する。
【００１９】
巻芯脱落阻止体２３は適当なバネ係数の板バネでできており、その後端部２３ａをボルト２８で下側壁１９の下面に固定し、その先端部２３ｂを下側壁１９に形成した孔２９を通して通路２２内に突出させている。したがって巻芯脱落阻止体２３は最下端の巻芯Ｃの巻芯出口２０への通路に弾力的に突出しており、最下端巻芯Ｃの脱落を防ぐことができる。
【００２０】
図１に示すシート分割巻取装置では、帯状シートＳの上流側の切断端を巻芯Ｃに接着するための接着剤を予め巻芯に付与して巻芯チャック６へ供給する必要があるため、巻芯供給装置１２は、巻取アーム５上に配設した接着剤付与機構３０を備えている。
【００２１】
図２において接着剤付与機構３０は、各一対の巻取アーム５毎に設けてあり、夫々巻取アーム５に設けたブラケット３１に取付けた、それ自体は公知の接着剤噴射装置３２からなり、接着剤噴射装置３２により巻芯Ｃの外周面の、タッチローラ７に対向する部分に接着剤を噴射して付与することができる。この接着剤噴射装置３２は、噴射バルブ操作用のアクチュエータ３３を備え、このアクチュエータ３３を作動させたときだけ噴射バルブが開き接着剤を噴射することができるように構成してある。
【００２２】
以上のように構成された巻芯供給装置１２により巻芯Ｃを巻芯チャック６に供給するには、予め、一対の樋状保持腕１４に退避姿勢をとらせ、一対の樋状保持腕１４の上端から巻芯Ｃの両端部を前側壁１７と後側壁１８の間に供給し、一対の樋状保持腕１４に複数の巻芯Ｃを保持させておく。樋状保持腕の上端から供給した巻芯Ｃは、重力によって自動的に下方へ送られ下側壁１９に当接し、巻芯脱落阻止体２３により巻芯出口２０から脱落しないように保持される。また揺動駆動機構１５が進出方向に作動する前の適当な時期に接着剤付与機構３０を作動させて予め最下端の巻芯Ｃに接着剤を付与しておく。なお樋状保持腕１４に保持された巻芯Ｃが残り少なくなったときは上端から巻芯Ｃを適宜補給する。
【００２３】
巻芯Ｃの供給が必要になったとき、一対の揺動駆動機構１５を同時に進出方向に作動させて一対の樋状保持腕１４に巻芯供給姿勢をとらせる。そうすると樋状保持腕１４の下側壁１９及び後側壁１８に当接して保持された最下端の巻芯Ｃが一対の巻芯チャック６の間に同心に配置される。
【００２４】
次に、一対の巻芯チャック６を進出作動させると、巻芯チャック６の先端部が、樋状保持腕１４の下部の切欠き２１を通して巻芯Ｃの中空部に挿入され、巻芯Ｃが巻芯チャック６に保持される。
【００２５】
巻芯Ｃが巻芯チャックにより保持されると、一対の揺動駆動機構１５を後退方向に作動させ、一対の樋状保持腕１４に退避姿勢をとらせる。
【００２６】
樋状保持腕１４が退避姿勢をとり始めると、最下端の巻芯Ｃは、巻芯チャック６に保持されているので樋状保持腕１４に対して巻芯出口２０の方向に移動して巻芯脱落阻止体２３の頂部２３ｂに係合し、その頂部２３ｂには押し下げ方向の力が作用し、巻芯脱落阻止体２３は撓みを生じて頂部２３ｂが下方へ逃げると共に、最下端の巻芯Ｃは巻芯出口２０から脱出する。
【００２７】
最下端の巻芯Ｃが巻芯出口２０から脱出すると、その巻芯Ｃの上に載っていた巻芯Ｃが落下して下側壁１９と後側壁１８に当接する。
【００２８】
本発明によれば、必要に応じて実施態様は多様に変化し得る。例えば上述の巻芯脱落阻止体を、樋状保持腕の下側壁若しくは前側壁又は底部に設けたエアシリンダ或いはソレノイドにより、巻芯出口への通路に進出後退駆動される巻芯脱落阻止体、或いは、樋状保持体の下側壁若しくは前側壁又は底部に巻芯に平行な軸線を揺動可能に装着され、コイルバネ等により弾力的に付勢されて巻芯出口への通路内に進出する巻芯脱落阻止体に替えることもできる。
【００２９】
【発明の効果】
本発明では、巻芯をその両端部において保持することができる樋状保持腕を各一対の巻取アームの夫々に向かい合わせに取付けると共に、樋状保持腕の揺動駆動機構を巻取アームに取付けたことにより、巻取アームを所要位置に配置すると、その巻取アームに伴って樋状保持腕等も所要位置に配置され、スリッターによる帯状シートの分割位置が変更され帯状シートの幅や位置が変わっても、巻芯供給装置自体の位置替えを考慮する必要がなくなり、樋状保持腕への新たな巻芯の補給も巻取位置の近くで行うことができる。また、樋状保持腕は複数の巻芯を保持できるので、保持した巻芯が少なくなると随時に巻芯を補給できる。しかも、樋状保持腕の下端部に巻芯出口を設け、保持した巻芯が重力の働きにより下端部へ移動できるようにし、また樋状保持腕が巻芯脱落阻止体を備えることにより、巻芯を巻芯チャックに確実に供給することができる。それゆえ、巻芯供給装置の取扱いが極めて容易になり、巻芯供給装置の構造が簡単になり、その占有空間も小さくすることができる。更に巻取ロールが巻芯チャックから取外されると直ちに複数の巻芯を各一対の巻芯チャック間に一斉に供給できる。したがってシート分割巻取装置の巻芯供給作業の省力化、稼動率向上に大きく貢献することができる。
【００３０】
また、巻芯脱落阻止体を下側壁から弾力的に巻芯出口への通路に突出したものにすることにより、巻芯供給装置の構造が極めて簡単になり、また小型になる。
【００３１】
また、樋状保持腕が保持した最下端の巻芯の所定部分に接着を付与することができる接着剤付与機構を巻取アーム上に配設するとことにより、帯状シートの分割幅や巻取位置の変更に伴い巻芯の長さや支持位置が変わっても、接着剤付与機構自体の位置替えを考慮する必要がなくなる。また接着剤を付与した新たな巻芯を巻芯チャックに供給することができるため、巻芯を巻芯チャックで保持した後に接着剤を付与する必要がなくなる。したがって、完成した巻取ロール搬出後の巻取準備作業の作業時間を大幅に短縮できる。
【図面の簡単な説明】
【図１】  本発明の一実施態様に係るシート分割巻取装置の全体説明図である。
【図２】  本発明の一実施態様に係る巻芯供給装置の正面図である。
【図３】  巻芯供給装置の側面図である。
【図４】  樋状保持腕の側面図である。
【符号の説明】
Ｓ  帯状シート
１  スリッター
４  間隔調整台
５  巻取アーム
６  巻芯チャック
１２  巻芯供給装置
１４  樋状保持腕
１５  揺動駆動機構
２０  巻芯出口
２１  切欠き
２２  通路
２３  巻芯脱落阻止体
３０  接着剤付与機構
３２  接着剤噴射装置
【図１】
0003873786.tif 000002
【図２】
0003873786.tif 000003
【図３】
0003873786.tif 000004
【図４】
0003873786.tif 000005